(57)【特許請求の範囲】
【請求項１】
撮像装置に着脱可能なレンズ装置であって、
光学素子と、
発光素子と、該発光素子からの光を受光する受光素子を備え、該受光素子の検出結果に基づいて、前記光学素子の位置を検出する検出手段と、
前記発光素子の発光量を制御するレンズ制御手段とを有し、
前記レンズ制御手段は、
前記撮像装置の撮影モードが第１の撮影モードに設定されている場合、前記発光素子を第１の発光量で点灯させ、前記撮像装置の撮影モードが前記第１の撮影モードよりも露光時間が長い第２の撮影モードに設定され、かつ前記光学素子が所定位置にあることが検出された場合、前記発光素子を前記第１の発光量よりも小さい第２の発光量で点灯させるか、または、前記発光素子を消灯させることを特徴とするレンズ装置。
【請求項２】
前記光学素子は、焦点調節の際に移動可能なフォーカスレンズを含み、前記所定位置は合焦位置であることを特徴とする請求項１に記載のレンズ装置。
【請求項３】
前記光学素子は、光量を調節するための絞りを含み、
前記所定位置は、設定されたＦ値に対応する位置であることを特徴とする請求項１に記載のレンズ装置。
【請求項４】
前記発光素子は第１発光素子であり、前記受光素子は第１受光素子であり、前記検出手段は第１検出手段であり、前記レンズ制御手段は第１のレンズ制御手段であって、
前記レンズ装置は、
焦点調節の際に移動可能なフォーカスレンズと、
第２発光素子と、該第２発光素子からの光を受光する第２受光素子を備え、該第２受光素子の検出結果に基づいて、前記フォーカスレンズの位置を検出する第２検出手段と、
前記第２発光素子の発光量を制御する第２レンズ制御手段とをさらに有し、
前記第２レンズ制御手段は、
前記撮像装置の撮影モードが前記第１の撮影モードに設定されている場合、前記第２発光素子を第３の発光量で点灯させ、前記撮像装置の撮影モードが前記第２の撮影モードに設定され、かつ前記フォーカスレンズが所定位置にあることが検出された場合、前記第２発光素子を前記第３の発光量よりも小さい第４の発光量で点灯させるか、または、前記第２発光素子を消灯させることを特徴とする請求項３に記載のレンズ装置。
【請求項５】
前記第１の撮影モードは、連写撮影モードであることを特徴とする請求項１乃至４のうちいずれか１項に記載のレンズ装置。
【請求項６】
前記第２の撮影モードは、長時間露光モードまたはバルブ撮影モードであることを特徴とする請求項１乃至５のうちいずれか１項に記載のレンズ装置。
【請求項７】
発光素子と、該発光素子からの光を受光する受光素子を備え、該受光素子の検出結果に基づいて、光学素子の位置を検出する光学機器の制御方法であって、
撮影モードを判定するステップと、
該判定の結果に基づいて前記発光素子の発光量を設定するステップと、を有し、
撮影モードが第１の撮影モードに設定されていると判定した場合、前記発光素子の発光量を第１の発光量に設定し、撮影モードが前記第１の撮影モードよりも露光時間が長い第２の撮影モードに設定されていると判定し、かつ前記光学素子が所定位置にあることが検出された場合、前記発光素子の発光量を前記第１の発光量よりも小さい第２の発光量又はゼロに設定することを特徴とする光学機器の制御方法。
【請求項８】
光学素子と、発光素子からの光を受光する受光素子の検出結果に基づいて前記光学素子の位置を検出する検出手段とを有するレンズ装置が着脱可能な撮像装置であって、
撮影モードを設定するための設定手段と、
前記検出手段の前記発光素子の発光量を制御するカメラ制御手段とを有し、
前記カメラ制御手段は、
前記設定手段によって撮影モードが第１の撮影モードに設定されている場合、前記発光素子を第１の発光量で点灯させ、前記設定手段によって撮影モードが前記第１の撮影モードよりも露光時間が長い第２の撮影モードに設定され、かつ前記光学素子が所定位置にあることが検出された場合、前記発光素子を前記第１の発光量よりも小さい第２の発光量で点灯させるか、または、前記発光素子を消灯させることを特徴とする撮像装置。
【請求項９】
レンズ装置と、該レンズ装置が着脱可能な撮像装置とを有する撮影システムであって、
前記レンズ装置は、
光学素子と、
発光素子と、該発光素子からの光を受光する受光素子を備え、該受光素子の検出結果に基づいて、前記光学素子の位置を検出する検出手段と、
前記発光素子の発光量を制御するレンズ制御手段と、
を有し、
前記レンズ制御手段は、
前記撮像装置の撮影モードが第１の撮影モードに設定されている場合、前記発光素子を第１の発光量で点灯させ、前記撮像装置の撮影モードが前記第１の撮影モードよりも露光時間が長い第２の撮影モードに設定され、かつ前記光学素子が所定位置にあることが検出された場合、前記発光素子を前記第１の発光量よりも小さい第２の発光量で点灯させるか、または、前記発光素子を消灯させることを特徴とする撮影システム。
【請求項１０】
レンズ装置と、該レンズ装置が着脱可能な撮像装置とを有する撮影システムであって、
前記レンズ装置は、
光学素子と、
発光素子と、該発光素子からの光を受光する受光素子を備え、該受光素子の検出結果に基づいて、前記光学素子の位置を検出する検出手段とを有し、
前記撮像装置は、
撮影モードを設定するための設定手段と、
前記検出手段の前記発光素子の発光量を制御するカメラ制御手段とを有し、
前記カメラ制御手段は、
前記設定手段によって撮影モードが第１の撮影モードに設定されている場合、前記発光素子を第１の発光量で点灯させ、前記設定手段によって撮影モードが前記第１の撮影モードよりも露光時間が長い第２の撮影モードに設定され、かつ前記光学素子が所定位置にあることが検出された場合、前記発光素子を前記第１の発光量よりも小さい第２の発光量で点灯させるか、または、前記発光素子を消灯させることを特徴とする撮影システム。
【発明の詳細な説明】
【技術分野】
【０００１】
本発明は、光学機器の制御方法、レンズ装置、撮像装置および撮影システムに関する。
【背景技術】
【０００２】
特許文献１は、レンズの位置を検出する位置検出手段を有し、レンズが停止している場合に位置検出手段への電力供給を停止させるテレビカメラ用レンズ装置を提案している。
【先行技術文献】
【特許文献】
【０００３】
【特許文献１】特開平１０−６８８６２号公報
【発明の概要】
【発明が解決しようとする課題】
【０００４】
しかし、センサは電源投入後に出力が安定するまで一般に時間がかかる。このため、特許文献１のように、レンズが停止するたびに位置検出手段への電源を停止すると、レンズ駆動時の位置検出開始までに時間がかかり、連写撮影などではシャッタータイミングを逃したり、合焦ができなくなったりするおそれがある。
【０００５】
本発明は、光学素子の良好な位置検出と省電力を両立することが可能な光学機器の制御方法、レンズ装置、撮像装置および撮影システムを提供することを例示的な目的とする。
【課題を解決するための手段】
【０００６】
本発明のレンズ装置は、撮像装置に着脱可能なレンズ装置であって、光学素子と、発光素子と、該発光素子からの光を受光する受光素子を備え、該受光素子の検出結果に基づいて、前記光学素子の位置を検出する検出手段と、前記発光素子の発光量を制御するレンズ制御手段とを有し、前記レンズ制御手段は、前記撮像装置の撮影モードが第１の撮影モードに設定されている場合、前記発光素子を第１の発光量で点灯させ、前記撮像装置の撮影モードが前記第１の撮影モードよりも露光時間が長い第２の撮影モードに設定され、かつ前記光学素子が所定位置にあることが検出された場合、前記発光素子を前記第１の発光量よりも小さい第２の発光量で点灯させるか、または、前記発光素子を消灯させることを特徴とする。
【発明の効果】
【０００７】
本発明によれば、光学素子の良好な位置検出と省電力を両立することが可能な光学機器の制御方法、レンズ装置、撮像装置および撮影システムを提供することができる。
【図面の簡単な説明】
【０００８】
【図１】本実施形態のカメラシステムのブロック図である。
【図２】図１に示すフォーカスレンズの位置センサの構成を示す図である。
【図３】図１に示す絞りの位置センサの構成を示す図である。
【図４】図１に示すカメラシステムの動作を示すフローチャートである。
【図５】図５に示すフローチャートの変形例である。
【発明を実施するための形態】
【０００９】
図１は、本実施形態のカメラシステム（撮影システム）のブロック図である。カメラシステムは、交換レンズ（レンズ装置）１００と、交換レンズ１００が取り外し可能（交換可能）に装着されるカメラ（撮像装置）２００を有する。本実施形態のカメラ２００は、デジタル一眼レフカメラであるが、ノンフレックス一眼レフカメラ（ミラーレスカメラ）などこれに限定されない。また、本発明はレンズ一体型カメラ（光学機器）にも適用可能である。
【００１０】
カメラ２００と交換レンズ１００は、端子１０９と２０９を介して、情報通信可能に接続される。また、端子１０９と２０９を介して、交換レンズ１００はカメラ２００から電源を供給される。
【００１１】
交換レンズ１００は、カメラ２００に交換可能に装着されるレンズ装置である。交換レンズ１００は、レンズＣＰＵ１０２、メモリ１０４、スイッチ１０６、端子１０９、撮影光学系、各種の駆動手段、位置検出手段、挿抜検出手段１１９、その他の部材を有する。
【００１２】
レンズＣＰＵ１０２は、交換レンズ１００の各部の動作を制御するレンズ制御手段であり、マイクロコンピュータから構成される。レンズＣＰＵ１０２は、撮影時の電力を制御する制御方法を実行する。この場合、レンズＣＰＵ１０２は、カメラ２００に後述する第１の撮影モードが設定されているかどうかの情報、第１の撮影モードよりも露光時間が長い第２の撮影モードが設定されているかどうかの情報など、をカメラＣＰＵ２０２から受信することになる。但し、この制御方法は、カメラＣＰＵ２０２が実行してもよい。
【００１３】
メモリ１０４は、交換レンズ１００に固有の特性情報、光学情報、制御方法のプログラム、それに使用される情報を記憶する。レンズＣＰＵ１０２は、特性情報、光学情報、その他の情報をカメラ２００内の後述するカメラＣＰＵ２０２に送信する。特性情報には、交換レンズ１００の名称（機種を特定するためのＩＤ情報）、最大通信速度、開放Ｆ値、変倍レンズか否か、対応可能なＡＦシステム、ＡＦ可能な像高等の情報が含まれる。また、光学情報には、フォーカスレンズ１１０の位置、変倍レンズ１１２の位置、絞り１１４の状態等のマトリクスで得られるフォーカスレンズ１１０の敏感度情報、ピント補正量(設計値)、ピント補正製造誤差値の情報等が含まれる。その他の情報は、その他の動作状態、設定状態、各種情報の要求命令（送信要求）および駆動命令等の情報を含む。
【００１４】
スイッチ１０６は、ユーザが、自動焦点調節(ＡＦ)か手動焦点調節(ＭＦ)を選択することを可能にする操作手段である。スイッチ１０６の状態も、端子１０９、２０９を介して、交換レンズ１００からカメラ２００に送信される。
【００１５】
撮影光学系は、被写体像を形成し、フォーカスレンズ１１０、変倍レンズ１１２、絞り１１４、補正レンズ１１６、内蔵エクステンダー１１８等の複数の光学素子を含む。ＯＡは、撮影光学系の光軸である。これらの光学素子は、移動によって撮影条件を変更することができる。
【００１６】
フォーカスレンズ１１０は、光軸方向に移動して焦点調節を行う。変倍レンズ１１２は、光軸方向に移動して焦点距離を変更する。また、不図示の変倍レンズ駆動手段をユーザが操作することにより、変倍レンズ１１２を駆動させることが可能である。変倍レンズ１１２が駆動された場合、不図示の変倍レンズ駆動検出手段により変倍レンズ１１２の駆動方向及び駆動量を検出することができる。絞り１１４は、撮影光学系の射出瞳位置に配置され、入射光量を調節する。補正レンズ１１６は、光軸に直交する方向に移動されて像ぶれを補正する。なお、「直交する方向」は光軸に直交する成分があれば足り、光軸に斜めに移動されてもよい。
【００１７】
内蔵エクステンダー１１８は、交換レンズ１００の鏡筒に設けられたレバーなどの操作部をユーザが操作することによって光軸に挿抜される。内蔵エクステンダー１１８が光軸に挿抜されると、撮影光学系の焦点距離、明るさ、収差等の光学特性が変化する。内蔵エクステンダー１１８の光軸への挿入及び退避は挿抜検出手段１１９によって検出され、検出結果はレンズＣＰＵ１０２に送信され、その後、レンズＣＰＵ１０２からカメラＣＰＵ２０２に送信される。
【００１８】
駆動手段は、ＭＦ駆動手段１２０、ＡＦ駆動手段１２２、絞り駆動手段１２４、ロック駆動手段１２６、補正レンズ駆動手段１２８を含む。
【００１９】
ＭＦ駆動手段１２０は、ユーザが、ＭＦにおいて、フォーカスレンズ１１０を手動で移動させることを可能にする。また、ＭＦ駆動手段１２０が操作された場合は、不図示のＭＦ駆動検知手段によりＭＦ駆動手段１２０が操作された方向及び操作量を検出することができる。ＡＦ駆動手段１２２は、ＡＦにおいて、フォーカスレンズ１１０を移動させ、モータ１２３を含む。絞り駆動手段１２４は、絞り１１４を駆動して開口を変化させ、モータ１２５を含む。
【００２０】
ロック駆動手段１２６は、メカロック１２７を駆動して、メカロック１２７の状態をロック状態とロック解除状態（アンロック状態）の間で変化させる。メカロック１２７は、ロック状態のときに補正レンズ１１６を固定し、ロック解除状態のときに補正レンズ１１６が移動できるように補正レンズ１１６の固定を解除する。補正レンズ駆動手段１２８は、補正レンズ１１６を光軸ＯＡに直交する方向に移動させる。
【００２１】
位置検出手段は、位置センサ１３０、１４０を含み、いずれも発光素子と、発光素子からの光を受光する受光素子を備え、受光素子の受光結果（検出結果）に基づいて、光学素子の位置を検出する光学機器である。位置センサ１３０は、フォーカスレンズ１１０の光軸上の位置を検出し、位置センサ１４０は、絞り１１４の開口位置を検出する。位置検出手段による検出結果はレンズＣＰＵ１０２からカメラＣＰＵ２０２に送信される。
【００２２】
図２（ａ）は、フォーカスレンズ１１０、モータ１２３、位置センサ１３０の配置例を示す図であり、図２（ｂ）は位置センサ１３０の回路構成例を示す図である。位置センサ１３０は、発光素子１３１、受光素子１３２、スケール１３３、ＦＥＴ１３６を含む。位置センサ１３０は、図２では、スケール１３３で反射する光の光量変化により、フォーカスレンズ１１０の位置を検出する。
【００２３】
発光素子１３１は、スケール１３３に光束を照射し、図２（ｂ）ではＬＥＤとして構成されているが、これに限定されない。受光素子１３２は、フォトダイオード等からなり、発光素子１３１から照射され、スケール１３３によって反射された光束を受光する。スケール１３３は反射型であり、反射部１３４と非反射部１３５が交互に配列されたパターンを有する。なお、スケール１３３のパターンは図２（ａ）に示すものに限定されない。モータ１２３は、フォーカスレンズ１１０とスケール１３３を矢印方向に同時に駆動させる。スケール１３３が移動することによって、光束が明暗のパターンとなり、受光素子１３２に到達する。
【００２４】
ＦＥＴ１３６は、発光素子１３１が発光する発光量を調整する。発光素子１３１は、所定の発光量（第１の発光量）で点灯する状態と消灯との間で調整可能でもよいし、所定の発光量、所定の発光量よりも小さい発光量（第２の発光量）で点灯する状態と消灯との間で調整可能でもよい。第１の発光量は、位置センサ１３０がフォーカスレンズ１１０の位置を所定の精度で検出するのに必要な発光量である。また、第２の発光量は、位置センサ１３０がフォーカスレンズ１１０の位置を所定の精度で検出することができない発光量である。
【００２５】
レンズＣＰＵ１０２からのＡＤ出力により、ＦＥＴ１３６のゲート電圧を設定して、発光素子１３１に流れる電流を調整する。ＦＥＴ１３６のゲート電圧制御は、レンズＣＰＵ１０２のＰＷＭ出力により制御してもよい。
【００２６】
図３（ａ）は、絞り１１４、モータ１２５、位置センサ１４０の配置例を示す図であり、図３（ｂ）は、位置センサ１４０の回路構成例を示す図である。位置センサ１４０は、図３では、フォトインタラプタ１４１、遮光壁１４４、ＦＥＴ１４５を含む。モータ１２５は、絞り１１４と遮光壁１４４を同時に駆動させる。
【００２７】
フォトインタラプタ１４１の発光素子（ＬＥＤ等）１４２からの光を受光素子１４３で受光または遮光壁１４４が遮光することにより、絞り１１４の位置を検出する。この例では、絞り１１４が全開放状態となった時に、発光素子１４２の光線を遮光する位置に遮光壁１４４が到達する。
【００２８】
ＦＥＴ１４５は、発光素子１４２が発光する発光量を調節する。発光素子１４２は、所定の発光量（第１の発光量）で点灯する状態と消灯との間で調整可能でもよいし、所定の発光量、所定の発光量よりも小さい発光量（第２の発光量）で点灯する状態と消灯との間で調整可能でもよい。この場合の第１の発光量は、位置センサ１４０が絞り１１４の位置を所定の精度で検出するのに必要な発光量である。また、第２の発光量は、位置センサ１４０が絞り１１４の位置を所定の精度で検出することができない発光量である。
【００２９】
レンズＣＰＵ１０２からのＡＤ出力により、ＦＥＴ１４５のゲート電圧を設定して、発光素子１４２に流れる電流を調整する。発光素子１４２の電流調整方法はこの方法に限定されない。例えば、ＦＥＴ１４５のゲート電圧をＰＷＭ制御したり、ＡＤ出力を発光素子１４２のカソードに直接接続して定電流回路を構成したり、レンズＣＰＵ１０２のポート出力としてＦＥＴ１４５をオンオフしたりしてもよい。
【００３０】
カメラ２００は、カメラＣＰＵ２０２、メモリ２０４、端子２０９、メインミラー２１０、サブミラー２１１、ＡＦセンサ２１２、ペンタプリズム２１３、ファインダ２１４、シャッター２１５、撮像素子２１６、設定手段２１８、その他の部材を有する。
【００３１】
カメラＣＰＵ２０２は、カメラ２００内の各部を制御するカメラ制御手段であり、マイクロコンピュータから構成される。カメラＣＰＵ２０２は、レンズＣＰＵ１０２と端子２０９、１０９を介して、各種の情報を通信し、ユーザの入力に応じてレンズＣＰＵ１０２に各種の命令を送信する。上述したように、カメラＣＰＵ２０２が、位置検出手段の発光素子の発光量を制御する制御方法を実行してもよい。この場合、カメラＣＰＵ２０２は、レンズＣＰＵ１０２から位置センサ１３０、１４０が発光素子１３１、１４２を含む情報を受信する。メモリ２０４は、カメラ２００のＩＤ、レンズＣＰＵ１０２から受信した情報等を記憶するが、カメラＣＰＵ２０２が制御方法を行う場合は、制御方法のプログラム、それに使用される情報も記憶する。
【００３２】
メインミラー２１０は、ハーフミラーから構成され、光束の一部を反射し、残りを透過する。サブミラー２１１は、メインミラー２１０を透過した光を反射してＡＦセンサ２１２に導く。ＡＦセンサ２１２は、一対の被写体像の像信号の位相差を検出することによって焦点検出をする、いわゆる位相差検出方式の焦点検出（位相差ＡＦ）を行う。なお、ＡＦ方式は位相差ＡＦに限定されない。
【００３３】
ペンタプリズムは２回反射によって正立正像の光を射出する。ファインダ２１４は、ユーザが被写体を観察することを可能にする。シャッター２１５は撮像素子２１６の露光を調節する。撮像素子２１６は、被写体像を光電変換し、ＣＣＤセンサやＣＭＯＳセンサ等の光電変換素子により構成されている。
【００３４】
設定手段２１８は、ユーザが各種の設定を行うことが可能なダイアル、ボタン、パネル、レバー、スイッチなどの入力手段である。設定手段２１８は、第１の撮影モードと、第１の撮影モードよりも露光時間が長い第２の撮影モードと、を設定することができる。第１の撮影モードは、連写撮影モードを含む。第２の撮影モードは、長時間露光モード（長秒露光モード）やバルブ撮影モードを含む。長時間露光は、シャッター２１５を開放したまま、撮像素子２１６を長く露光する撮影方式である。バルブ撮影は、１秒よりも長いシャッタースピードの時、レリーズスイッチを押している間中シャッター２１５が開く撮影方式である。連写撮影は、レリーズスイッチを押している間中、連続して撮影する撮影方式をいう。
【００３５】
メインミラー２１０とサブミラー２１１は、図１に示すミラーダウン位置と不図示のミラーアップ位置の間で移動可能に構成されている。ミラーアップ位置では、メインミラー２１０とサブミラー２１１は光軸から退避し、撮影光束は撮像素子２１６に入射する。ミラーダウン位置では、撮影光学系を通った撮影光束は、メインミラー２１０にて反射され、一部がペンタプリズム２１３を通り、ファインダ２１４に導かれる光束と、サブミラー２１１に反射されてＡＦセンサ２１２に導かれる光束に分割される。
【００３６】
カメラＣＰＵ２０２は、スイッチ１０６がＡＦを選択していると判断するとＡＦ動作に入る。カメラＣＰＵ２０２は、ＡＦセンサ２１２からの出力を処理し、撮影光学系の焦点状態を検出し、取得したレンズの光学情報と共に、被写体に対する合焦状態を得るためのフォーカスレンズ１１０の駆動量を算出する。カメラＣＰＵ２０２は、算出したフォーカスレンズ駆動量をレンズＣＰＵ１０２に送信する。レンズＣＰＵ１０２は、位置センサ１３０からのフォーカスレンズ１１０の位置情報と受信したフォーカスレンズ駆動量に応じてＡＦ駆動手段１２２を制御することにより、フォーカスレンズ１１０を合焦位置に駆動する。
【００３７】
カメラＣＰＵ２０２は、スイッチ１０６がＭＦを選択していると判断すると、ＡＦは行われず、ユーザがＭＦ駆動手段１２０を介してフォーカスレンズ１１０を所定位置に手動で駆動させて焦点調節を行う。
【００３８】
カメラＣＰＵ２０２は、カメラ２００に設けられた不図示のレリーズスイッチの半押し操作に応じて、不図示の測光センサによる測光結果またはユーザが設定した絞り値に応じた絞り１１４の駆動量を算出する。次いで、カメラＣＰＵ２０２は、絞り駆動量をレンズＣＰＵ１０２に送信し、レンズＣＰＵ１０２は、受信した絞り駆動量と位置センサ１４０からの絞り位置情報に応じて絞り駆動手段１２４を制御することにより、絞り１１４を駆動する。
【００３９】
また、カメラＣＰＵ２０２は、レリーズスイッチの半押し操作に応じて、手振れ補正開始命令をレンズＣＰＵ１０２に送信する。レンズＣＰＵ１０２は、手振れ補正開始命令を受信すると、まず、補正レンズ駆動手段１２８を制御して補正レンズ１１６を制御中心位置に保持し、続いて、ロック駆動手段１２６を制御してメカロック１２７を駆動させてロックを解除する。その後、レンズＣＰＵ１０２は、不図示の手振れ検出手段の検出結果に従って補正レンズ駆動手段１２８を制御して補正レンズ１１６を駆動し、手振れを補正する。
【００４０】
カメラＣＰＵ２０２は、レリーズスイッチの全押し操作に応じて、シャッター２１５を駆動し、撮影光学系からの光束を撮像素子２１６に導き、露光（撮影）を行う。カメラＣＰＵ２０２は、撮像素子２１６からの出力に基づいて画像データ（動画や静止画）を生成し、記録媒体に記録する。
【００４１】
図４は、カメラシステムの動作を示すフローチャートであり、ここでは、レンズＣＰＵ１０２が主として撮影時の電力を制御する制御方法を実行している。図５は図４の変形例である。「Ｓ」はステップ（工程）、ＹはＹｅｓ（はい）、ＮはＮｏ（いいえ）を表している。図４、５に示すフローチャートは、コンピュータに各ステップを実行させるためのプログラムとして具現化が可能である。かかるプログラムは、非一時的なコンピュータ可読媒体に記憶されてもよい。
【００４２】
Ｓ１０１では、カメラＣＰＵ２０２は、ユーザがレリーズスイッチを操作したかどうかを判断している。ユーザがレリーズスイッチを操作して撮影動作開始を指示すればＳ１０２へ進み、操作がなければ、判断を続ける。
【００４３】
Ｓ１０２では、カメラＣＰＵ２０２は、レンズＣＰＵ１０２と通信し、ユーザが設定した撮影モードをレンズに通信する。撮影モードは、バルブ撮影モード、連写撮影モード等である。
【００４４】
Ｓ１０３では、レンズＣＰＵ１０２は、位置センサ１３０、１４０の発光素子１３１、１４２の光量を検出可能なレベルに設定する。Ｓ１０３は、発光素子１３１、１４２を第１の発光量で点灯させるステップとして機能する。
【００４５】
Ｓ１０４では、カメラＣＰＵ２０２は、ＡＦセンサ２１２からの出力を処理して撮影光学系の焦点状態を検出し、レンズの光学情報と合わせて、被写体に対する合焦状態を得るためのフォーカスレンズ１１０の駆動量を算出する。
【００４６】
Ｓ１０５では、カメラＣＰＵ２０２は、フォーカスレンズ１１０の駆動量をレンズＣＰＵ１０２へ送信する。Ｓ１０６では、レンズＣＰＵ１０２は、位置センサ１３０の出力とカメラ２００から受信した駆動量に従い、ＡＦ駆動手段１２２を制御し、フォーカスレンズ１１０を合焦位置に駆動する。
【００４７】
Ｓ１０７では、カメラＣＰＵ２０２は、ＡＦセンサ２１２の出力等から合焦位置であるかどうか判断し、合焦していないと判断するとＳ１０８へ進み、合焦していると判断するとＳ１０９へ進む。即ち、Ｓ１０７のＹは、位置センサ１３０によってフォーカスレンズが所定位置（合焦位置）にあることが検出されたことを意味する。
【００４８】
Ｓ１０８では、カメラＣＰＵ２０２は、再度レンズＣＰＵ１０２にフォーカスレンズ駆動量を送信し、Ｓ１０６に戻る。Ｓ１０９では、カメラＣＰＵ２０２は、不図示の測光センサ出力からの出力や、ユーザの設定を判断して絞り１１４の駆動量を決定する。
【００４９】
Ｓ１１０では、カメラＣＰＵ２０２は、絞り１１４の駆動量をレンズＣＰＵ１０２へ送信する。Ｓ１１１では、レンズＣＰＵ１０２は、受信した絞り駆動量と、位置センサ１４０からの絞り位置情報から絞り駆動手段１２４を制御し、絞り１１４を駆動する。Ｓ１１１は、位置センサ１４０によって検出された絞り１１４の位置が所定位置（設定されたＦｎｏを与える位置）にあることを意味する。
【００５０】
Ｓ１１２では、カメラＣＰＵ２０２は、露光時間をレンズＣＰＵ１０２へ送信する。Ｓ１１３では、レンズＣＰＵ１０２は、カメラＣＰＵ２０２より受信した撮影モード情報と露光時間から、今回の撮影がバルブ撮影であるか、または所定の露光時間より長い長時間露光なのかを判断する。
【００５１】
Ｓ１１３で長時間露光またはバルブ撮影と判断されるとＳ１１４に進み、Ｓ１１３でバルブ撮影または長時間露光と判断されなかった場合はＳ１１５に進む。
【００５２】
Ｓ１１４では、レンズＣＰＵ１０２は、位置センサ１３０、１４０の発光素子１３１、１４２の光量をＳ１０３で設定した光量より小さい値に設定する。Ｓ１１４は、発光素子１３１、１４２の発光量を第１の発光量よりも小さい第２の発光量で点灯させるか、または、前記発光素子を消灯させるステップとして機能する。長時間露光またはバルブ撮影の場合には、発光素子１３１、１４２の発光量が小さくなるので、省電力となる。なお、Ｓ１１４を、Ｓ１０７のＹ、Ｓ１１１、Ｓ１１３のＹが全て満足された直後に行われることによって省電力を図ることができる。
【００５３】
Ｓ１１３のＮは、長時間露光またはバルブ撮影が設定されていない場合は、露光前に、発光素子１３１、１４２の第１の発光量を変更しないこと（第１の発光量で点灯させること）を意味する。発光素子１３１、１４２の発光量は維持されるので、連写撮影等で、直ちにフォーカスレンズ１１０等の位置を検出することができ、シャッターチャンスを逃すことを防止することができる。
【００５４】
Ｓ１１５では、カメラＣＰＵ２０２はシャッター２１５を開いて露光を開始し、一定時間後にシャッター２１５を閉じて露光を終了する（Ｓ１１６）。
【００５５】
その後、Ｓ１１７にて、レンズＣＰＵ１０２は、位置センサ１４０の発光素子１４２の光量を検出可能なレベルに設定し、Ｓ１１８にて、絞り１１４を開放状態へ駆動する。その後、Ｓ１１９にて、位置センサ１４０の発光素子１４２の光量をＳ１０３で設定した光量よりも小さい値に設定する。
【００５６】
図５に示すように、位置センサ１３０、１４０の発光素子１３１、１４２の光量を個別のタイミングで設定する点で図４と相違する。図５においては、図４と同様のステップには、同様の参照符号を付しており、以下、相違する点だけを説明する。Ｓ１０２の後で、Ｓ１０３の代わりにＳ１２１が行われる。Ｓ１２１では、レンズＣＰＵ１０２は、位置センサ１３０の発光素子１３１の光量を検出可能なレベルに設定する。その後、Ｓ１０４〜Ｓ１０８がなされ、Ｓ１２２がなされる。Ｓ１２２では、レンズＣＰＵ１０２は、位置センサ１４０の発光素子１４２の光量を検出可能なレベルに設定する。後のステップは図４と同一である。
【００５７】
なお、カメラＣＰＵ２０２が制御方法を実行する場合は以下のようになる。即ち、カメラＣＰＵ２０２は、まず、Ｓ１０３で、発光素子１３１、１４２を第１の発光量で点灯させて位置センサ１３０、１４０にフォーカスレンズ１１０、絞り１１４の位置を検出させる信号をレンズＣＰＵ１０２に送信する。次に、カメラＣＰＵ２０２は、位置センサによってこれらの光学素子が所定位置にあることが検出され、かつ、設定手段２１８によって第２の撮影モードが設定されている場合、露光前に、前記発光素子の前記発光量を前記第１の発光量よりも小さくする。即ち、第２の発光量で点灯させるか、または、前記発光素子を消灯させる。また、カメラＣＰＵ２０２は、設定手段２１８によって第１の撮影モードが設定されている場合は、露光前に、発光素子１３１、１４２の第１の発光量を変更しない（前記発光素子を第１の発光量で点灯させる）。
【００５８】
各実施例では、レリーズスイッチが操作されたことをトリガーとして、フォーカスレンズ１１０や絞り１１４の駆動を開始している。その他、フォーカスレンズ１１０のＭＦ駆動手段１２０や不図示の変倍レンズ駆動手段が操作されたことをトリガーとして、フォーカスレンズ１１０や絞り１１４の駆動を開始してもよい。
【００５９】
以上、本発明の好ましい実施例について説明したが、本発明はこれらの実施例に限定されず、その要旨の範囲内で種々の変形及び変更が可能である。
【産業上の利用可能性】
【００６０】
光学機器は、たとえば、デジタルカメラ、監視カメラ、ビデオカメラなどの撮像装置、交換レンズとカメラ本体からなるカメラシステムに適用することができる。
【符号の説明】
【００６１】
１０２…レンズＣＰＵ（レンズ制御手段）、１１０…フォーカスレンズ（光学素子）、１１４…絞り（光学素子）、１３０、１４０…位置センサ（位置検出手段）、１３１、１４２…発光素子、１３２、１４３…受光素子、２０２…カメラＣＰＵ（カメラ制御手段）、
【図１】
0006544941.tif 000002
【図２】
0006544941.tif 000003
【図３】
0006544941.tif 000004
【図４】
0006544941.tif 000005
【図５】
0006544941.tif 000006